(57)【要約】【課題】通常時は磁気ヘッドを正規位置に固定しつつ、磁気ヘッド表面に容易にアクセスし、カード処理装置からの磁気ヘッドの着脱を容易にする。【解決手段】磁気ヘッド支持装置は、カード処理装置に挿入されるカードの磁気データをリード/ライトする磁気ヘッドと、前記磁気ヘッドを支持するヘッドホルダと、前記ヘッドホルダを前記カード処理装置のフレームに係合するホルダストッパと、前記ヘッドホルダ及び前記ホルダストッパに係合して、前記磁気ヘッドを押圧する押圧バネとを備え、前記磁気ヘッドと前記ヘッドホルダとは、前記ヘッドホルダ上の軸を中心に回転可能にスナップフィットで係合され、前記ヘッドホルダの一端は前記フレーム上の軸を中心に回転可能に固定され、前記ヘッドホルダの他端は前記ホルダストッパにより前記フレームにスナップフィットで係合される。
2015181957.tif 000002
【特許請求の範囲】
【請求項１】
カード処理装置に挿入されるカードの磁気データをリード/ライトする磁気ヘッドと、
前記磁気ヘッドを支持するヘッドホルダと、
前記ヘッドホルダを前記カード処理装置のフレームに係合するホルダストッパと、
前記ヘッドホルダ及び前記ホルダストッパに係合して、前記磁気ヘッドを押圧する押圧バネと
を備え、
前記磁気ヘッドと前記ヘッドホルダとは、前記ヘッドホルダ上の軸を中心に回転可能にスナップフィットで係合され、
前記ヘッドホルダの一端は前記フレーム上の軸を中心に回転可能に固定され、前記ヘッドホルダの他端は前記ホルダストッパにより前記フレームにスナップフィットで係合される
ことを特徴とする、磁気ヘッド支持装置。
【請求項２】
前記ホルダストッパの他端と前記フレームとの係合が解除され、前記ヘッドホルダが前記フレーム上の軸を中心に回転して前記ホルダストッパの一端が開口し、前記磁気ヘッドが前記ヘッドホルダ上の軸を中心に回転して、前記磁気ヘッドのヘッド表面を外部から視認可能な位置に配置する
ことを特徴とする、請求項１に記載の磁気ヘッド支持装置。
【請求項３】
前記磁気ヘッドが前記ヘッドホルダ上の軸を中心に回転して、前記磁気ヘッドのヘッド表面を視認可能な位置から、前記磁気ヘッドと前記ホルダストッパとの係合を解除して前記ホルダストッパから前記磁気ヘッドを取り外し可能とする
ことを特徴とする、請求項２に記載の磁気ヘッド支持装置。
【請求項４】
前記押圧バネの長さは、前記押圧バネの付勢により前記カードに前記磁気ヘッドの所定の押圧力がかかる長さに設定される
ことを特徴とする、請求項１に記載の磁気ヘッド支持装置。
【請求項５】
磁気ヘッドを支持する磁気ヘッド支持装置を備えたカード処理装置であって、
前記磁気ヘッド支持装置は、
前記カード処理装置に挿入されるカードの磁気データをリード/ライトする磁気ヘッドと、
前記磁気ヘッドを支持するヘッドホルダと、
前記ヘッドホルダを前記カード処理装置のフレームに係合するホルダストッパと、
前記ヘッドホルダ及び前記ホルダストッパに係合して、前記磁気ヘッドを押圧する押圧バネと
を備え、
前記磁気ヘッドと前記ヘッドホルダとは、前記ヘッドホルダ上の軸を中心に回転可能にスナップフィットで係合され、
前記ヘッドホルダの一端は前記フレーム上の軸を中心に回転可能に固定され、前記ヘッドホルダの他端は前記ホルダストッパにより前記フレームにスナップフィットで係合される
ことを特徴とする、カード処理装置。
【発明の詳細な説明】
【技術分野】
【０００１】
本発明は、磁気ヘッドを移動可能に保持する磁気ヘッド保持装置及びカード処理装置に関する。
【背景技術】
【０００２】
磁気カードのカード処理装置に使用されるリードライト用磁気ヘッド（以下磁気ヘッドとも称する。）は、表面が磨耗するため保守交換が必要な部品である。また、磁気ヘッドの表面にカード表面の汚れが転写し易いため、磁気ヘッドによるリードライトの性能が低下しないように、定期的に磁気ヘッドの表面を清掃する必要がある。【０００３】
また、磁気データをＩＳＯ規格に適合させて磁気カードに書き込む為には、磁気ヘッドを支持する磁気ヘッド支持装置で磁気ヘッドを支持する際に、磁気ヘッドと磁気カードとを高精度に位置合わせする必要がある。高精度な位置合わせとは、例えば、磁気ヘッドのギャップ頂点と磁気カードの磁気ストライプ面との垂直方向の高精度な位置合わせや、磁気ヘッドのヘッドギャップとカード搬送面の基準との垂直度の高精度な合わせこみなどである。【０００４】
また、変形した磁気カードであっても、磁気ストライプのデータを正確にリードライトするために、磁気ヘッドを垂直方向に動かしてカードに適正な押圧力をかけたり、カード搬送方向を軸として磁気ヘッドを回転するように動かしたりして、磁気ヘッドを変形した磁気カードに追従させる必要がある。従来の磁気ヘッドは、この追従性を確保するように磁気ヘッドを支持する支持装置に固定されており、磁気ヘッドの保守交換又は清掃の際に、固定用のネジを外したり、ストッパを外すなどの作業が必要であった。【０００５】
しかし、磁気ヘッドの保守交換の度に、固定用のネジを外したりストッパを外すなどの作業を行うことは、保守作業の効率化を低下させる。このため、上記した磁気カードへの追従性を保持しつつも、カード処理装置からの着脱を容易とする構造がもとめられる。そこで、特許文献１では、磁気ヘッド支持装置の板上部を有する固定部材にアーム部を有する可動部材を備え、可動部材を付勢する付勢部材を設けて、可動部材が所定の位置に配置されるようにしたり、アーム部に爪部を設けてアーム部を容易に回動させて磁気ヘッドの着脱を容易にしたり、板上部とアーム部に切欠部を設けて磁気ヘッドを支持装置から容易に着脱させることが開示されている。
【先行技術文献】
【特許文献】
【０００６】
【特許文献１】特開２０１０−２７２１８１号公報
【発明の概要】
【発明が解決しようとする課題】
【０００７】
しかし、特許文献１では、磁気ヘッドの脱落防止用のストッパを外した後に磁気ヘッドを取外す必要があり、磁気ヘッドの保守交換時や清掃の際に手間がかかっていた。また、特許文献１の磁気ヘッド支持装置の構成では、磁気ヘッドの押圧を発生させている付勢部材のモーメントに抗して、回転中心から近い部分に強い力を掛ける必要があり、磁気ヘッドの支持装置から磁気ヘッドを容易に着脱することができないという問題があった。【０００８】
本発明は以上の点を考慮してなされたもので、通常時は磁気ヘッドを正規位置に固定しつつ、磁気ヘッド表面に容易にアクセスしたり、カード処理装置からの磁気ヘッドの着脱を容易にしたりすることが可能な磁気ヘッド支持装置及びカード処理装置を提案しようとするものである。
【課題を解決するための手段】
【０００９】
かかる課題を解決するために本発明においては、カード処理装置に挿入されるカードの磁気データをリード/ライトする磁気ヘッドと、前記磁気ヘッドを支持するヘッドホルダと、前記ヘッドホルダを前記カード処理装置のフレームに係合するホルダストッパと、前記ヘッドホルダ及び前記ホルダストッパに係合して、前記磁気ヘッドを押圧する押圧バネとを備え、前記磁気ヘッドと前記ヘッドホルダとは、前記ヘッドホルダ上の軸を中心に回転可能にスナップフィットで係合され、前記ヘッドホルダの一端は前記フレーム上の軸を中心に回転可能に固定され、前記ヘッドホルダの他端は前記ホルダストッパにより前記フレームにスナップフィットで係合されることを特徴とする、磁気ヘッド支持装置が提供される。【００１０】
かかる課題を解決するために本発明においては、磁気ヘッドを支持する磁気ヘッド支持装置を備えたカード処理装置であって、前記磁気ヘッド支持装置は、前記カード処理装置に挿入されるカードの磁気データをリード/ライトする磁気ヘッドと、前記磁気ヘッドを支持するヘッドホルダと、前記ヘッドホルダを前記カード処理装置のフレームに係合するホルダストッパと、前記ヘッドホルダ及び前記ホルダストッパに係合して、前記磁気ヘッドを押圧する押圧バネとを備え、前記磁気ヘッドと前記ヘッドホルダとは、前記ヘッドホルダ上の軸を中心に回転可能にスナップフィットで係合され、前記ヘッドホルダの一端は前記フレーム上の軸を中心に回転可能に固定され、前記ヘッドホルダの他端は前記ホルダストッパにより前記フレームにスナップフィットで係合されることを特徴とする、カード処理装置が提供される。
【発明の効果】
【００１１】
本発明によれば、通常時は磁気ヘッドを正規位置に固定しつつ、磁気ヘッド表面に容易にアクセスし、カード処理装置からの磁気ヘッドの着脱を容易にすることができる。
【図面の簡単な説明】
【００１２】
【図１】本発明の一実施形態に係るカード処理装置の全体構成を示す概念図である。
【図２】同実施形態にかかるカード処理装置のＢ−Ｂ断面図である。
【図３】同実施形態にかかるカード処理装置のＡ−Ａ断面図である。
【図４】同実施形態にかかるカード処理装置のＢ−Ｂ断面図である。
【図５】同実施形態にかかるカード処理装置のＡ−Ａ断面図である。
【図６】同実施形態にかかるカード処理装置のＢ−Ｂ断面図である。
【図７】同実施形態にかかるカード処理装置のＡ−Ａ断面図である。
【図８】同実施形態にかかるカード処理装置のＢ−Ｂ断面図である。
【図９】同実施形態にかかるカード処理装置のＡ−Ａ断面図である。
【図１０】従来のカード処理装置の全体構成を説明する概念図である。
【図１１】従来のカード処理装置のＤ−Ｄ断面図である。
【発明を実施するための形態】
【００１３】
以下図面について、本発明の一実施の形態を詳述する。
【００１４】
（１）従来技術の磁気ヘッド支持装置
まず、本実施の形態を説明する前に、図１０及び図１１を参照して、一般的な構成を有する従来のカード処理装置１０について説明する。
【００１５】
図１０は、カード処理装置１０の全体構成を説明する概念図である。図１０に示すように、カード処理装置１０は、筐体１と、搬送ローラ２ａ〜２ｄと、磁気ヘッドユニット３と、押さえローラ４などを備えている。
【００１６】
図１０に示すように、カード挿入口１ａから挿入されたカード２００は、搬送ローラ２ａ〜２ｄによってＸ１方向及びＸ２方向に搬送される。図中の二点破線Ｐは、カード２００の搬送系路を示している。
【００１７】
カード処理装置１０の内部に搬送されたカード２００は、磁気ヘッド３により磁気データのリード及びライト処理がなされる。押さえローラ４は、磁気ヘッド３の対向面に位置し、カード２００が磁気ヘッド３と押さえローラ４の間に位置する場合に、カード２００を磁気ヘッド３に密着させるように配置されている。
【００１８】
図１１は、従来のカード処理装置１００のＤ−Ｄ断面を示している。図１１に示すように、磁気ヘッド３は、回転軸３ｄを中心に回転可能なレバー３ｂと磁気ヘッド３をカードストライプに密着させるためのバネ３ｅによって支持されている。これにより、磁気ヘッド３をＺ１及びＺ２の方向に稼働させることができる。
【００１９】
また磁気ヘッド３は、レバー３ｂ上の回転軸３ａを中心に、矢印Ｃの両方向に回転可能に取り付けられている。このように、磁気ヘッド３を回転軸３ａを中心に回転可能に取り付けることにより、変形したカードを処理する場合に、該カードに対する磁気ヘッドのヘッド表面の密着度を上げることができる。
【００２０】
しかし、図１１に示す従来の磁気ヘッド構造では、磁気ヘッドの脱落防止用のストッパを外した後に磁気ヘッドを取外さなければならず、磁気ヘッドの交換時や清掃の際に手間がかかっていた。また磁気ヘッド３の押圧を発生させている付勢部材３ｅのモーメントに抗して回転中心から近い部分に強い力を掛ける必要があり、磁気ヘッド３の支持装置から磁気ヘッド３を着脱する際に着脱が困難となるという問題があった。
【００２１】
そこで本実施の形態では、磁気ヘッドの支持構造を、カード処理装置のフレーム上にあるカード搬送方向の軸周りに回転可能な磁気ヘッドホルダと、ヘッドホルダ上にある軸周りに回転可能に固定されている磁気ヘッドと、ヘッドホルダをカード処理装置のフレームにスナップフィットで固定するホルダストッパと、ヘッドホルダ及びホルダストッパに係合してヘッドをカード表面に押し付ける力を発生させるバネとで構成した。
【００２２】
また、ヘッドホルダと磁気ヘッドとをスナップフィットで係合して、ネジ等を外す手間なく磁気ヘッドをカード処理装置から着脱できる構成とした。また、ヘッドホルダの回転中心から固定用のスナップフィット部までの距離を長くとることができるため、上記した従来のカード処理装置１０より小さな力でヘッドホルダを正規位置に固定できる。これにより、磁気ヘッドをカード処理装置から容易に着脱することが可能となる。また磁気ヘッド表面を清掃する際には、磁気ヘッドを本体に取り付けた状態で、外部からヘッド表面を触ることができるため、磁気ヘッドの清掃や点検等の保守に充てる時間を短縮することが可能となる。
【００２３】
（２）本実施の形態の磁気ヘッド支持装置
次に、図１を参照して、本実施の形態にかかる磁気ヘッド支持装置について説明する。図１は、本実施の形態にかかるカード処理装置１００の全体構成を示す概念図である。図１に示すように、カード処理装置１００は、搬送ローラ２Ａ及び２Ｂと、磁気ヘッド３と、押さえローラ４と、ヘッドホルダ６などを備える。
【００２４】
カード挿入口１ａから挿入されたカード２００（図示せず）は、搬送ローラ２Ａ及び２Ｂによってカード処理装置１００内部に搬送される。本実施の形態では、２対の搬送ローラ２Ａ及び２Ｂによりカード２００を内部に搬送する構成として、カード処理装置１００を従来よりも小型化している。しかし、本実施の形態はかかる例に限定されず、従来技術と同様に、カード処理装置１００に４つの搬送ローラを備える構成としてもよい。
【００２５】
図２は、図１のＢ−Ｂ断面であり、カード処理装置１００のカード挿入口１ａから見た磁気ヘッド３の中心をとおる断面図である。なお、図１は、図２のＸ−Ｘ断面である。図２は、カード処理装置１００の通常状態であり、磁気ヘッド３が正規の位置に収納されている状態を示す。図２に示す位置に磁気ヘッド３が収納されている場合には、磁気ヘッド３により、押さえローラ４と磁気ヘッド３との間を通過するカード２００の磁気データをリードライト可能な状態である。
【００２６】
図２に示すように、磁気ヘッド３を支持するヘッドホルダ６は、フレーム９上に回転中心６ａを有し、ヘッドホルダ６の一端が回転中心６ａに回転可能に固定されている。そして、ヘッドホルダ６の他端は、後述するホルダストッパ７により本体のフレーム９にスナップフィットで係合されている。
【００２７】
したがって、ホルダストッパ７のスナップフィット部がフレーム９のスナップフィット部から外れて、ホルダストッパ７とフレーム９との係合が解除されると、ヘッドホルダ６は、回転中心６ａを中心にカード挿入口１ａ側に開口するように傾く状態となる。
【００２８】
また、磁気ヘッド３は、ヘッドホルダ６にスナップフィットで係合されており、ヘッドホルダ６上の軸を中心に回転可能に取り付けられている。
【００２９】
図３は、図１のＡ−Ａ断面であり、カード処理装置１００のカード挿入口１ａから見た磁気ヘッド３の手前側の断面図である。
【００３０】
図３に示すように、ホルダストッパ７は、ヘッドホルダ６と同じ回転軸を本体のフレーム９上に有している。また、ホルダストッパ７は、スナップフィットによってフレーム９に係合している。押圧バネ８は、ヘッドホルダ６とホルダストッパ７とに係合され、バネの付勢により磁気ヘッド３をカード表面に押し付ける。
【００３１】
押圧バネ８のバネの長さは、図２に示す位置にヘッドホルダ６が固定された場合に、所定の押圧がカードにかかる長さに設定されている。また、磁気ヘッド３がヘッドホルダ６にスナップフィットで係合され、ホルダストッパ７がフレーム９にスナップフィットで係合されると、磁気ヘッド３が図２に示す正規の位置に収納される。
【００３２】
図４は、図２と同様に図１のＢ−Ｂ断面であり、磁気ヘッド３を図２に示す正規の位置から磁気ヘッド３を傾けた状態を示す。図５は、図１のＡ−Ａ断面であり、図５に示すように、ホルダストッパ７のスナップフィットがフレーム９のスナップフィットから外れて、ホルダストッパ７とフレーム９の係合が解除された状態を示す。
【００３３】
また、図６は、図２と同様に図１のＢ−Ｂ断面を示し、図４の状態から、さらに、磁気ヘッド３が時計回りに傾けられた状態を示す。図６に示す状態は、磁気ヘッド３のヘッド上面がカード処理装置１００の外部からアクセス可能な状態となっている。したがって、図６に示す状態では、磁気ヘッド３をカード処理装置１００に取り付けたまま、カード処理装置１００の外部から磁気ヘッド３のヘッド表面を清掃することができる。
【００３４】
図７は、図４と同様に図１のＢ−Ｂ断面を示し、ヘッドホルダ６及びホルダストッパ７が図４と同様の位置にある。すなわち、図７では、ホルダストッパ７のスナップフィット部がフレーム９のスナップフィット部から外れて、ホルダストッパ７とフレーム９との係合が解除された状態を示す。
【００３５】
図８は、図２と同様に図１のＢ−Ｂ断面を示し、磁気ヘッド３をヘッドホルダ６から取り外した状態を示す。図９は、図１のＡ−Ａ断面である。図９に示すように、磁気ヘッド３は、磁気ヘッド３の前後に突起部３ｇを有し、突起部３ｇとホルダストッパ７のスナップフィット部７ａ（図８に図示）とが係合されている。このように、磁気ヘッド３は、突起部３ｇによりホルダストッパ７とスナップフィットで係合されているため、図６に示す状態から、磁気ヘッド３をヘッドホルダ６から容易に取り外すことができる。
【００３６】
また、ヘッドホルダ６の回転中心６ａでヘッドホルダ６をフレーム９に固定して、回転中心６ａからスナップフィット部７ａまでの距離を長くとることができるため、ヘッドホルダ６を従来よりも小さな力で正規の位置に固定することができる。これにより、磁気ヘッド３をカード処理装置１００から容易に着脱することが可能となる。
【００３７】
また、図１に示すように、磁気ヘッド３が正規の位置に収納されている場合には、磁気ヘッド３の突起部３ｇは、ホルダストッパ７のスナップフィット部７ａに係合している。ホルダストッパ７のスナップフィット部７ａは、上部が開口された切欠き形状であるため、突起部３ｇとスナップフィット部７ａが係合することにより、通常時は下部に抜けない構造となっている。したがって、カード処理装置１００が下部に落下するなどにより、磁気ヘッド支持装置の下部方向に加速度がかかった場合でも、磁気ヘッド支持装置から磁気ヘッド３が抜け落ちない構造となっている。
【００３８】
（３）本実施の形態の効果
上記構成により、磁気ヘッド３を清掃する際には、ホルダストッパ７とフレーム９との係合を解除し、磁気ヘッド３をさらに時計回りに傾けることにより、磁気ヘッド３の表面に容易に触れることができ、磁気ヘッド３をフレーム９本体に取り付けたまま、磁気ヘッド３の表面を容易に清掃することが可能となる。また、磁気ヘッド３を交換する際には、ホルダストッパ７のスナップフィット部７ａとスナップフィットで係合している磁気ヘッド３を取り外すだけで、ネジ等を外したりする手間をかけずとも、磁気ヘッド３を容易に交換することが可能となる。
【００３９】
また、押圧バネ８の長さは、ヘッドホルダ６が固定された場合に、押圧バネ８の付勢により磁気ヘッド３がカード表面に押し付けられ、所定の押圧がカード２００にかかる長さに設定されている。また、磁気ヘッド３は、ヘッドホルダ６上の軸を中心に回転可能に取り付けられている。したがって、磁気ヘッド保持装置が上記構成を有することにより、カードに適切な押圧をかけてカードへの追従性を保持しつつ、磁気ヘッドの着脱を容易な構成として、磁気ヘッドの清掃や交換などの保守作業を容易にすることが可能となる。
【符号の説明】
【００４０】
１００  カード処置装置
２００  カード
２Ａ、２Ｂ  搬送ローラ
３      磁気ヘッド
４      押さえローラ
６      ヘッドホルダ
７      ホルダストッパ
８      押圧バネ
９      フレーム
【図１】
2015181957.tif 000003
【図２】
2015181957.tif 000004
【図３】
2015181957.tif 000005
【図４】
2015181957.tif 000006
【図５】
2015181957.tif 000007
【図６】
2015181957.tif 000008
【図７】
2015181957.tif 000009
【図８】
2015181957.tif 000010
【図９】
2015181957.tif 000011
【図１０】
2015181957.tif 000012
【図１１】
2015181957.tif 000013
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
カード処理装置に挿入されるカードの磁気データをリード／ライトする磁気ヘッドと、
前記磁気ヘッドを支持するヘッドホルダと、
前記ヘッドホルダを前記カード処理装置のフレームに固定するホルダストッパと、
前記ヘッドホルダ及び前記ホルダストッパに係合して、前記磁気ヘッドを押圧する押圧バネと
を備え、
前記磁気ヘッドと前記ヘッドホルダとは、前記ヘッドホルダ上の軸を中心に回転可能にスナップフィットで係合され、
前記ホルダストッパはその一端が前記フレーム上の回転軸を中心に回転可能に固定され、前記ホルダストッパの他端は前記フレームにスナップフィットで係合され、
前記ヘッドホルダの一端は前記フレーム上の前記回転軸を中心に回転可能に固定され、前記ヘッドホルダの他端は前記フレームにスナップフィットで係合された前記ホルダストッパにより前記フレームに固定される
ことを特徴とする、磁気ヘッド支持装置。
【請求項２】
前記ホルダストッパの他端と前記フレームとの固定が解除され、前記ヘッドホルダが前記フレーム上の軸を中心に回転して前記ホルダストッパの他端側が開口し、前記磁気ヘッドが前記ヘッドホルダ上の軸を中心に回転して、前記磁気ヘッドのヘッド表面を外部から視認可能な位置に配置する
ことを特徴とする、請求項１に記載の磁気ヘッド支持装置。
【請求項３】
前記磁気ヘッドが前記ヘッドホルダ上の軸を中心に回転して、前記磁気ヘッドのヘッド表面を視認可能な位置から、前記磁気ヘッドと前記ホルダストッパとの係合を解除して前記ホルダストッパから前記磁気ヘッドを取り外し可能とする
ことを特徴とする、請求項２に記載の磁気ヘッド支持装置。
【請求項４】
前記押圧バネの長さは、前記押圧バネの付勢により前記カードに前記磁気ヘッドの所定の押圧力がかかる長さに設定される
ことを特徴とする、請求項１に記載の磁気ヘッド支持装置。
【請求項５】
磁気ヘッドを支持する磁気ヘッド支持装置を備えたカード処理装置であって、
前記磁気ヘッド支持装置は、
前記カード処理装置に挿入されるカードの磁気データをリード／ライトする磁気ヘッドと、
前記磁気ヘッドを支持するヘッドホルダと、
前記ヘッドホルダを前記カード処理装置のフレームに固定するホルダストッパと、
前記ヘッドホルダ及び前記ホルダストッパに係合して、前記磁気ヘッドを押圧する押圧バネと
を備え、
前記磁気ヘッドと前記ヘッドホルダとは、前記ヘッドホルダ上の軸を中心に回転可能にスナップフィットで係合され、
前記ホルダストッパはその一端が前記フレーム上の回転軸を中心に回転可能に固定され、前記ホルダストッパの他端は前記フレームにスナップフィットで係合され、
前記ヘッドホルダの一端は前記フレーム上の前記回転軸を中心に回転可能に固定され、前記ヘッドホルダの他端は前記フレームにスナップフィットで係合された前記ホルダストッパにより前記フレームにスナップフィットで固定される
ことを特徴とする、カード処理装置。
【手続補正２】
【補正対象書類名】明細書
【補正対象項目名】０００２
【補正方法】変更
【補正の内容】
【０００２】
脱を容易とする構造がもとめられる。そこで、特許文献１では、磁気ヘッド支持装置の板上部を有する固定部材にアーム部を有する可動部材を備え、可動部材を付勢する付勢部材を設けて、可動部材が所定の位置に配置されるようにしたり、アーム部に爪部を設けてアーム部を容易に回動させて磁気ヘッドの着脱を容易にしたり、板上部とアーム部に切欠部を設けて磁気ヘッドを支持装置から容易に着脱させることが開示されている。
先行技術文献
特許文献
［０００６］
特許文献１：特開２０１０−２７２１８１号公報
発明の概要
発明が解決しようとする課題
［０００７］
しかし、特許文献１では、磁気ヘッドの脱落防止用のストッパを外した後に磁気ヘッドを取外す必要があり、磁気ヘッドの保守交換時や清掃の際に手間がかかっていた。また、特許文献１の磁気ヘッド支持装置の構成では、磁気ヘッドの押圧を発生させている付勢部材のモーメントに抗して、回転中心から近い部分に強い力を掛ける必要があり、磁気ヘッドの支持装置から磁気ヘッドを容易に着脱することができないという問題があった。
［０００８］
本発明は以上の点を考慮してなされたもので、通常時は磁気ヘッドを正規位置に固定しつつ、磁気ヘッド表面に容易にアクセスしたり、カード処理装置からの磁気ヘッドの着脱を容易にしたりすることが可能な磁気ヘッド支持装置及びカード処理装置を提案しようとするものである。
課題を解決するための手段
［０００９］
かかる課題を解決するために本発明においては、カード処理装置に挿入されるカードの磁気データをリード／ライトする磁気ヘッドと、前記磁気ヘッドを支持するヘッドホルダと、前記ヘッドホルダを前記カード処理装置のフレームに固定するホルダストッパと、前記ヘッドホルダ及び前記ホルダストッパに係合して、前記磁気ヘッドを押圧する押圧バネとを備え、前記磁気ヘッ
【手続補正３】
【補正対象書類名】明細書
【補正対象項目名】０００３
【補正方法】変更
【補正の内容】
【０００３】
ドと前記ヘッドホルダとは、前記ヘッドホルダ上の軸を中心に回転可能にスナップフィットで係合され、前記ホルダストッパはその一端が前記フレーム上の回転軸を中心に回転可能に固定され、前記ホルダストッパの他端は前記フレームにスナップフィットで係合され、前記ヘッドホルダの一端は前記フレーム上の前記回転軸を中心に回転可能に固定され、前記ヘッドホルダの他端は前記フレームにスナップフィットで係合された前記ホルダストッパにより前記フレームに固定されることを特徴とする、磁気ヘッド支持装置が提供される。
［００１０］
かかる課題を解決するために本発明においては、磁気ヘッドを支持する磁気ヘッド支持装置を備えたカード処理装置であって、前記磁気ヘッド支持装置は、前記カード処理装置に挿入されるカードの磁気データをリード／ライトする磁気ヘッドと、前記磁気ヘッドを支持するヘッドホルダと、前記ヘッドホルダを前記カード処理装置のフレームに固定するホルダストッパと、前記ヘッドホルダ及び前記ホルダストッパに係合して、前記磁気ヘッドを押圧する押圧バネとを備え、前記磁気ヘッドと前記ヘッドホルダとは、前記ヘッドホルダ上の軸を中心に回転可能にスナップフィットで係合され、前記ホルダストッパはその一端が前記フレーム上の回転軸を中心に回転可能に固定され、前記ホルダストッパの他端は前記フレームにスナップフィットで係合され、前記ヘッドホルダの一端は前記フレーム上の前記回転軸を中心に回転可能に固定され、前記ヘッドホルダの他端は前記フレームにスナップフィットで係合された前記ホルダストッパにより前記フレームに固定されることを特徴とする、カード処理装置が提供される。
発明の効果
［００１１］
本発明によれば、通常時は磁気ヘッドを正規位置に固定しつつ、磁気ヘッド表面に容易にアクセスし、カード処理装置からの磁気ヘッドの着脱を容易にすることができる。
図面の簡単な説明
［００１２］
［図１］本発明の一実施形態に係るカード処理装置の全体構成を示す概念図である。
［図２］同実施形態にかかるカード処理装置のＢ−Ｂ断面図である。
［図３］同実施形態にかかるカード処理装置のＡ−Ａ断面図である。
［図４］同実施形態にかかるカード処理装置のＢ−Ｂ断面図である。
［図５］同実施形態にかかるカード処理装置のＡ−Ａ断面図である。
［図６］同実施形態にかかるカード処理装置のＢ−Ｂ断面図である。
【手続補正４】
【補正対象書類名】明細書
【補正対象項目名】０００５
【補正方法】変更
【補正の内容】
【０００５】
ａを中心に回転可能に取り付けることにより、変形したカードを処理する場合に、該カードに対する磁気ヘッドのヘッド表面の密着度を上げることができる。
［００２０］
しかし、図１１に示す従来の磁気ヘッド構造では、磁気ヘッドの脱落防止用のストッパを外した後に磁気ヘッドを取外さなければならず、磁気ヘッドの交換時や清掃の際に手間がかかっていた。また磁気ヘッド３の押圧を発生させている付勢部材３ｅのモーメントに抗して回転中心から近い部分に強い力を掛ける必要があり、磁気ヘッド３の支持装置から磁気ヘッド３を着脱する際に着脱が困難となるという問題があった。
［００２１］
そこで本実施の形態では、磁気ヘッドの支持構造を、カード処理装置のフレーム上にあるカード搬送方向の軸周りに回転可能な磁気ヘッドホルダと、ヘッドホルダ上にある軸周りに回転可能に固定されている磁気ヘッドと、ヘッドホルダとは別体で構成され、かつ、ヘッドホルダと同一の軸周りに回転可能であってカード処理装置のフレームにスナップフィットで固定されるホルダストッパと、ヘッドホルダ及びホルダストッパに係合してヘッドをカード表面に押し付ける力を発生させるバネとで構成した。
［００２２］
また、ヘッドホルダと磁気ヘッドとをスナップフィットで係合して、ネジ等を外す手間なく磁気ヘッドをカード処理装置から着脱できる構成とした。また、ヘッドホルダの回転中心から、ヘッドをカード表面に押し付ける力を発生させる上記のバネまでの距離を長くとることができるため、上記した従来のカード処理装置１０より小さな力でヘッドホルダを正規位置に固定できる。これにより、磁気ヘッドをカード処理装置から容易に着脱することが可能となる。また磁気ヘッド表面を清掃する際には、磁気ヘッドを本体に取り付けた状態で、外部からヘッド表面を触ることができるため、磁気ヘッドの清掃や点検等の保守に充てる時間を短縮することが可能となる。
［００２３］
（２）本実施の形態の磁気ヘッド支持装置
次に、図１を参照して、本実施の形態にかかる磁気ヘッド支持装置について説明する。図１は、本実施の形態にかかるカード処理装置１００の全体構成を示す概念図である。図１に示すように、カード処理装置１００は、搬送
【手続補正５】
【補正対象書類名】明細書
【補正対象項目名】０００６
【補正方法】変更
【補正の内容】
【０００６】
ローラ２Ａ及び２Ｂと、磁気ヘッド３と、押さえローラ４と、ヘッドホルダ６などを備える。
［００２４］
カード挿入口１ａから挿入されたカード２００（図示せず）は、搬送ローラ２Ａ及び２Ｂによってカード処理装置１００内部に搬送される。本実施の形態では、２対の搬送ローラ２Ａ及び２Ｂによりカード２００を内部に搬送する構成として、カード処理装置１００を従来よりも小型化している。しかし、本実施の形態はかかる例に限定されず、従来技術と同様に、カード処理装置１００に４つの搬送ローラを備える構成としてもよい。
［００２５］
図２は、図１のＢ−Ｂ断面であり、カード処理装置１００のカード挿入口１ａから見た磁気ヘッド３の中心をとおる断面図である。なお、図１は、図２のＸ−Ｘ断面である。図２は、カード処理装置１００の通常状態であり、磁気ヘッド３が正規の位置に収納されている状態を示す。図２に示す位置に磁気ヘッド３が収納されている場合には、磁気ヘッド３により、押さえローラ４と磁気ヘッド３との間を通過するカード２００の磁気データをリードライト可能な状態である。
［００２６］
図２に示すように、磁気ヘッド３を支持するヘッドホルダ６は、フレーム９上に回転中心６ａを有し、ヘッドホルダ６の一端が回転中心６ａに回転可能に固定されている。そして、ヘッドホルダ６の他端は、後述するホルダストッパ７および押圧バネ８により本体のフレーム９に固定される。なお、ホルダストッパ７は本体のフレーム９にスナップフィットで係合されている。
［００２７］
したがって、ホルダストッパ７のスナップフィット部がフレーム９のスナップフィット部から外れて、ホルダストッパ７とフレーム９との係合が解除されると、ヘッドホルダ６は、回転中心６ａを中心にカード挿入口１ａ側に開口するように傾く状態となる。
［００２８］
また、磁気ヘッド３は、後述するヘッドホルダ６のスナップフィット部６ｃにスナップフィットで係合されており、ヘッドホルダ６上の軸を中心に回転可能に取り付けられている。
［００２９］
図３は、図１のＡ−Ａ断面であり、カード処理装置１００のカード挿入口１ａから見た磁気ヘッド３の手前側の断面図である。
［００３０］
ホルダストッパ７は、その一端にヘッドホルダ６と同じ回転軸（図３において図示省略）を
【手続補正６】
【補正対象書類名】明細書
【補正対象項目名】０００７
【補正方法】変更
【補正の内容】
【０００７】
本体のフレーム９上に有しており、ヘッドホルダ６とは独立に回転可能となっている。また、ホルダストッパ７は、その他端がスナップフィット部７ａによってフレーム９に係合している。押圧バネ８は、ヘッドホルダ６とホルダストッパ７とに係合され、ホルダストッパ７がフレーム９に係合された状態では、バネの付勢により磁気ヘッド３をカード表面に押し付ける。
［００３１］
押圧バネ８のバネの長さは、図２に示す位置にヘッドホルダ６が固定された場合に、所定の押圧がカードにかかる長さに設定されている。また、磁気ヘッド３がヘッドホルダ６にスナップフィットで係合され、ホルダストッパ７がフレーム９にスナップフィットで係合されると、磁気ヘッド３が図２に示す正規の位置に収納される。
［００３２］
図４は、図２と同様に図１のＢ−Ｂ断面であり、磁気ヘッド３を図２に示す正規の位置から磁気ヘッド３を傾けた状態を示す。図５は、図１のＡ−Ａ断面であり、図５に示すように、ホルダストッパ７のスナップフィット部７ａがフレーム９のスナップフィット部９ａから外れて、ホルダストッパ７とフレーム９の係合が解除された状態を示す。
［００３３］
また、図６は、図２と同様に図１のＢ−Ｂ断面を示し、図４の状態から、さらに、磁気ヘッド３が時計回りに傾けられた状態を示す。図６に示す状態は、磁気ヘッド３のヘッド上面がカード処理装置１００の外部からアクセス可能な状態となっている。したがって、図６に示す状態では、磁気ヘッド３をカード処理装置１００に取り付けたまま、カード処理装置１００の外部から磁気ヘッド３のヘッド表面を清掃することができる。
［００３４］
図７は、図４と同様に図１のＢ−Ｂ断面を示し、ヘッドホルダ６及びホルダストッパ７が図４と同様の位置にある。すなわち、図７では、ホルダストッパ７のスナップフィット部７ａがフレーム９のスナップフィット部９ａから外れて、ホルダストッパ７とフレーム９との係合が解除された状態を示す。
［００３５］
図８は、図２と同様に図１のＢ−Ｂ断面を示し、磁気ヘッド３をヘッドホルダ６から取り外した状態を示す。図９は、図１のＡ−Ａ断面である。図９に示すように、磁気ヘッド３は、磁気ヘッド３の前後に突起部３ｇを有し、突起部３ｇとヘッドホルダ６のスナップフィット部６ｃ（図８に図示）と
【手続補正７】
【補正対象書類名】明細書
【補正対象項目名】０００８
【補正方法】変更
【補正の内容】
【０００８】
が係合されている。このように、磁気ヘッド３は、突起部３ｇによりヘッドホルダ６とスナップフィットで係合されているため、図６に示す状態から、磁気ヘッド３をヘッドホルダ６から容易に取り外すことができる。
［００３６］
また、ヘッドホルダ６の回転中心６ａでヘッドホルダ６をフレーム９に固定して、回転中心６ａから押圧バネ８までの距離を長くとることができるため、ホルダストッパ７と押圧バネ８によってヘッドホルダ６を従来よりも小さな力で正規の位置に固定することができる。これにより、磁気ヘッド３をカード処理装置１００から容易に着脱することが可能となる。
［００３７］
また、磁気ヘッド３が正規の位置に収納されている場合には、磁気ヘッド３の突起部３ｇは、ヘッドホルダ６のスナップフィット部６ｃに係合している。ヘッドホルダ６のスナップフィット部６ｃは、上部が開口された切欠き形状であるため、突起部３ｇとスナップフィット部６ｃが係合することにより、通常時は下部に抜けない構造となっている。したがって、カード処理装置１００が下部に落下するなどにより、磁気ヘッド支持装置の下部方向に加速度がかかった場合でも、磁気ヘッド支持装置から磁気ヘッド３が抜け落ちない構造となっている。
［００３８］
（３）本実施の形態の効果
上記構成により、磁気ヘッド３を清掃する際には、ホルダストッパ７とフレーム９との係合を解除し、磁気ヘッド３をさらに時計回りに傾けることにより、磁気ヘッド３の表面に容易に触れることができ、磁気ヘッド３をフレーム９本体に取り付けたまま、磁気ヘッド３の表面を容易に清掃することが可能となる。また、磁気ヘッド３を交換する際には、ヘッドホルダ６のスナップフィット部６ｃとスナップフィットで係合している磁気ヘッド３を取り外すだけで、ネジ等を外したりする手間をかけずとも、磁気ヘッド３を容易に交換することが可能となる。
［００３９］
また、押圧バネ８の長さは、ヘッドホルダ６が固定された場合に、押圧バネ８の付勢により磁気ヘッド３がカード表面に押し付けられ、所定の押圧がカード２００にかかる長さに設定されている。また、磁気ヘッド３は、ヘッ
【手続補正８】
【補正対象書類名】図面
【補正対象項目名】図３
【補正方法】変更
【補正の内容】
【図３】
2015181957.tif 000014
【手続補正９】
【補正対象書類名】図面
【補正対象項目名】図５
【補正方法】変更
【補正の内容】
【図５】
2015181957.tif 000015
【手続補正１０】
【補正対象書類名】図面
【補正対象項目名】図７
【補正方法】変更
【補正の内容】
【図７】
2015181957.tif 000016
【手続補正１１】
【補正対象書類名】図面
【補正対象項目名】図８
【補正方法】変更
【補正の内容】
【図８】
2015181957.tif 000017
【手続補正１２】
【補正対象書類名】図面
【補正対象項目名】図９
【補正方法】変更
【補正の内容】
【図９】
2015181957.tif 000018
【国際調査報告】
2015181957.tif 000019
2015181957.tif 000020
2015181957.tif 000021
2015181957.tif 000022